(57)【要約】【課題】線条部材の規制位置を爪ブラケットの高さ位置よりも、高く設定できるようにする。【解決手段】軸心回りに回転自在に支持された耕耘軸３８の外周面に、爪ブラケット５３が突設され、爪ブラケット５３に耕耘爪５０の取付基部が嵌合固定されて、耕耘軸３８の外周面に、多数の耕耘爪５０が爪ブラケット５３を介して径外方に突設され、耕耘爪５０に外嵌された取付ステー５９，６０を介して、巻付き防止用の線状部材５８が、互いに離間した耕耘爪５０間に設けられたロータリ耕耘機の巻付き防止装置において、前記取付ステー５９，６０に、爪ブラケット５３に接当して取付ステー５９，６０の耕耘軸３８側への移動を規制する規制片６７，７６が設けられている。【選択図】      図５
2004215625.tif 000002
【特許請求の範囲】
【請求項１】
軸心回りに回転自在に支持された耕耘軸（３８）の外周面に、爪ブラケット（５３）が突設され、爪ブラケット（５３）に耕耘爪（５０）の取付基部が嵌合固定されて、耕耘軸（３８）の外周面に、多数の耕耘爪（５０）が爪ブラケット（５３）を介して径外方に突設され、耕耘爪（５０）に外嵌された取付ステー（５９，６０，９１）を介して、巻付き防止用の線状部材（５８）が、互いに離間した耕耘爪（５０）間に設けられたロータリ耕耘機の巻付き防止装置において、
前記取付ステー（５９，６０，９１）に、爪ブラケット（５３）に接当して取付ステー（５９，６０，９１）の耕耘軸（３８）側への移動を規制する規制片（６７，７６，９３）が設けられていることを特徴とするロータリ耕耘機の巻付き防止装置。
【請求項２】
取付ステー（６０）に耕耘爪（５０）が挿通される嵌合孔（７７）が具備され、この嵌合孔（７７）は、取付ステー（６０）に前記規制片（７６）を切り起こし形成することにより、形成されていることを特徴とする請求項１に記載のロータリ耕耘機の巻付き防止装置。
【請求項３】
軸方向外方側の耕耘爪（５０ａ）に、耕耘爪（５０ａ）の先端側を外側方に変位させるように外側方に向けて傾斜した傾斜部（６１）が設けられ、取付ステー（６０）の嵌合孔（７７）側が、耕耘爪（５０ａ）の傾斜部（６１）に略垂直状に交差するように傾斜され、取付ステー（６０）が嵌合孔（７７）を介して耕耘爪（５０ａ）の傾斜部（６１）に外嵌されていることを特徴とする請求項１又は２に記載のロータリ耕耘機の巻付き防止装置。
【発明の詳細な説明】
【０００１】
【発明の属する技術分野】
本発明は、ロータリ耕耘機の巻付き防止装置に関するものである。
【０００２】
【従来の技術】
例えば、サイドドライブ式のロータリ耕耘機では、軸心回りに回転自在に支持された耕耘軸の外周面に、嵌合凹部を有する多数の爪ブラケットが耕耘軸の径外方向に突設され、その嵌合凹部に嵌合された耕耘爪の取付基部を爪ブラケットにボルト固定することによって、耕耘軸の外周面に、多数の耕耘爪が爪ブラケットを介して径外方に突設されている。
この場合、耕耘軸に草等の長稈が巻き付くのを防止すべく、耕耘軸の軸方向に互いに離間した耕耘爪間に、ワイヤー等よりなる長尺の線状部材を耕耘軸から離間して架設することがあり、従来では、取付ステーを嵌合孔を介して耕耘爪の取付基部に外嵌し、この外嵌された取付ステーを介して、線状部材を、耕耘軸の軸方向に互いに離間した耕耘爪間に架設していた（例えば特許文献１、特許文献２）。
【０００３】
【特許文献１】
特開平８−７０６０１号公報
【特許文献２】
特開平９−１２１６０８号公報
【特許文献３】
特開平１０−１５０８０１号公報
【０００４】
【発明が解決しようとする課題】
しかし、従来の場合、耕耘爪が基端側に向かうに従って細くなっていることもあって、嵌合孔を介して耕耘爪の取付基部に外嵌された取付ステーは、爪ブラケットに接当するまでは、取付ステーの耕耘爪に対する耕耘軸側（径方向内方）への移動は規制されることがないため、耕耘軸に対する径方向への離間位置が任意に選べず、爪ブラケットの高さ（突出長さ）で、線条部材の規制位置が決まってしまい不便であった。特に、取付ステーが取り付けられる耕耘爪が、耕耘軸の軸方向外方側にあって、耕耘爪の先端側を外側方に変位させるように外側方に向けて傾斜した傾斜部が設けられたものにあっては、取付ステーの嵌合位置が爪ブラケットの高さ位置に特定されてしまい、取付ステーの取付位置を任意に選ぶことが困難であった。
【０００５】
本発明は上記問題点に鑑み、線条部材の規制位置を爪ブラケットの高さ位置よりも、高く設定できるようにしたものである。
【０００６】
【課題を解決するための手段】
この技術的課題を解決するための本発明の技術的手段は、軸心回りに回転自在に支持された耕耘軸３８の外周面に、爪ブラケット５３が突設され、爪ブラケット５３に耕耘爪５０の取付基部が嵌合固定されて、耕耘軸３８の外周面に、多数の耕耘爪５０が爪ブラケット５３を介して径外方に突設され、耕耘爪５０に外嵌された取付ステー５９，６０，９１を介して、巻付き防止用の線状部材５８が、互いに離間した耕耘爪５０間に設けられたロータリ耕耘機の巻付き防止装置において、
前記取付ステー５９，６０，９１に、爪ブラケット５３に接当して取付ステー５９，６０，９１の耕耘軸３８側への移動を規制する規制片６７，７６，９３が設けられている点にある。
【０００７】
また、本発明の他の技術的手段は、取付ステー６０に耕耘爪５０が挿通される嵌合孔７７が具備され、この嵌合孔７７は、取付ステー６０に前記規制片７６を切り起こし形成することにより、形成されている点にある。
また、本発明の他の技術的手段は、軸方向外方側の耕耘爪５０ａに、耕耘爪５０ａの先端側を外側方に変位させるように外側方に向けて傾斜した傾斜部６１が設けられ、取付ステー６０の嵌合孔７７側が、耕耘爪５０ａの傾斜部６１に略垂直状に交差するように傾斜され、取付ステー６０が嵌合孔７７を介して耕耘爪５０ａの傾斜部６１に外嵌されている点にある。
【０００８】
【発明の実施の形態】
以下、図面に基づいて本発明の実施の形態を説明する。図１において、トラクタ車体２の後部には３点リンク機構３を介してロ−タリ耕耘機１が連結されており、３点リンク機構３のロアリンク４はトラクタ車体２の後下部に、トップリンク５はトップリンクサポート６にそれぞれ枢支連結されている。
図８〜図１２において、９はトラクタ車体２の後上部に固定の取付台で、左右一対の平面視Ｌ字形の板材９ａを対称状にボルト締結して形成されており、この取付台９にトップリンクサポート６が上下２本の平行なピン１１，１２で連結されている。トップリンクサポート６は、左右一対の側板１４を補強板１５で連結しており、その後端にピン１６を介してトップリンク５を枢支している。トップリンクサポート６の前端部に、側板１４間に上下一対の取付筒７，８が左右方向に貫通して固着されている。この取付筒７，８に前記ピン１１，１２がそれぞれ挿通されている。
【０００９】
トップリンクサポート６の前内部には操作レバー１９が配置され、操作レバー１９は、ボス部２０を介して、トップリンクサポート６に設けた支軸２１廻りに回動自在に支持されている。トップリンクサポート６とトラクタ車体２との間に楔部材２３が設けられている。楔部材２３は、左右一対の楔部２４と楔部２４同士を連結する連結部２５とを有し、各楔部２４は、その前後幅が下側に向かうに従って徐々に小幅となる台形状に形成されている。
楔部材２３の楔部２４間に左右方向の連結軸２６が設けられ、この連結軸２６に連結筒２７が外嵌され、連結筒２７と操作レバー１９のボス部２０とがＵ字状に湾曲した連結部材２８で連結されている。この連結部材２８は弾性を有していて、両端が縮小するように弾性変形された状態で組み込まれており、連結部材２８は弾性変形による復元力によって、楔部材２３を、トラクタ車体２とトップリンクサポート６との間で下側に向けて食い込ませるように作用するようになっている。
【００１０】
従って、トップリンクサポート６及び楔部材２３を取付台９に装着すると、連結部材２８の弾性力によって、楔部材２３がトラクタ車体２とトップリンクサポート６との間を下側に向けて次第に食い込み、これにより、トップリンクサポート６をトラクタ車体２側から引き離して取付台９とピン１１，１２との間のガタを除去するようになっている。
また、トップリンクサポート６を取り外す際には、操作レバー１９を、図８に示すａ方向に引っ張り又はａ方向に叩くことにより、楔部材２３をトラクタ車体２とトップリンクサポート６との間から上方に簡単に抜くことができる。従って、楔部材２３をトラクタ車体２とトップリンクサポート６との間に食い込ませるように付勢するコイルバネ等の特別のバネは不要になり、部品点数の低減を図ることができる。
【００１１】
図１及び図２において、ロータリ耕耘機１は、サイドドライブ式であり、動力受入れギアボックス３４から左右に延設されたサポートアーム３５の両端にチェーンケース３６とサイドフレーム３７とを備える。このチェーンケース３６とサイドフレーム３７の下端部内側には、耕耘軸３８をその軸心回りに回転自在に支持する軸受けのケース３９が取り付けられ、前記ギアボックス３４から前方に突出された動力受入れ軸４０には、トラクタ車体２のＰＴＯ軸４１がジョイント４２によって連動連結されている。
【００１２】
サポートアーム３５の内部には、動力受入れ軸４０とギア４３とを介して駆動する伝動軸４４が内装され、この伝動軸４４の一端に、チェーンケース３６の上部に内装されたスプロケット４５が固定されている。このスプロケット４５と、耕耘軸３８の一端に設けたスプロケット４６との伝動チェーン４７が巻き掛けられ、これによりＰＴＯ軸４１の駆動力で耕耘軸３８を回転駆動するようにしている。
また、図１に示すように、サポートアーム３５には平面視方形枠状の支持フレーム４８が後方に突出され、この支持フレーム４８の後部に耕耘高さを調整するための接地輪４９が設けられている。なお、矢符Ａは、耕耘軸３８の回転方向を示している。
【００１３】
図１〜図７に示すように、耕耘軸３８の外周面には多数の耕耘爪５０を林立させてなる耕耘部５１が構成され、この耕耘部５１の上方はカバー５２で覆われている。
すなわち、耕耘軸３８の外周面には、先端に嵌合凹部５３Ａを有する角筒状を呈する多数の爪ブラケット５３が当該耕耘軸３８の径外方向に突設され、この各爪ブラケット５３の嵌合凹部５３Ａに嵌合した耕耘爪５０をそれぞれボルト５４締結することで、多数の耕耘爪５０が耕耘軸３８の外周面に径外方放射状に取り付けられている。
【００１４】
爪ブラケット５３の左右両側壁と各耕耘爪５０の基端部には、ボルト５４の貫通孔５５，５６が設けられていて、爪ブラケット５３の嵌合凹部５３Ａに耕耘爪５０の基端部を嵌合すると、それら両貫通孔５５，５６が同心状に位置決めされるようになっている。そして、同心状に位置決めされた両貫通孔５５，５６へ耕耘軸３８の軸心方向に挿通されたボルト５４をナット５７で締め付けることにより、耕耘爪５０を爪ブラケット５３に対して固定することができる。
耕耘軸３８の右端（軸方向外方側）に位置する耕耘爪５０（耕耘爪５０ａ）には、その基部側中途部に、外側方に向けて傾斜した傾斜部６１が設けられ、これにより、耕耘爪５０ａの先端側を耕耘軸３８の軸方向外方に位置させて、この耕耘爪５０ａによって、対応する爪ブラケット５３よりも外側方が耕耘できるようにしている。
【００１５】
ロータリ耕耘機１の耕耘部５１には、前記耕耘軸３８に草等の長稈が巻き付くのを防止すべく、耕耘軸３８の軸方向に沿う長尺の線状部材５８からなる巻付き防止装置を設けている。線状部材５８は、長尺のワイヤー材からなり、その両端部に連結部材６３を備えており、この各連結部材６３は、耕耘軸３８の軸方向両端部に位置する爪ブラケット５３側に固定された取付ステー５９，６０にそれぞれ連結され、当該線状部材５８を引張した状態で２点支持している。従って、線状部材５８は、取付ステー５９，６０を介して、耕耘軸３８の左端側の耕耘爪５０と、耕耘軸３８の右端側の耕耘爪５０とに連結されている。
【００１６】
図３及び図４に示すように、左端側の取付ステー５９は、長方形板状に形成され、耕耘爪５０の基端部が挿通し得る長方形の嵌合孔６６が形成されている。また、取付ステー５９の底面に、規制片６７が突設されている。規制片６７は、爪ブラケット５３の突出端面に接当して取付ステー５９の耕耘軸３８側（耕耘軸３８の径方向内方）への移動を規制している。なお、規制片６７は、嵌合孔６６の開口縁部の全周に亘る筒状に形成してもよいし、また、左右一対の突起により構成してもよい。
【００１７】
取付ステー５９の右側端部には、連結部材６３を連結するための止めピン６９が挿通する貫通孔７０が形成されており、該貫通孔７０は、取付ステー５９の前後方向（耕耘軸３８の回転方向）に関して中央より偏心して設けられている。
図５〜図７に示すように、右端側の取付ステー６０は長方形板状に形成され、取付ステー６０の右側は、外側方下がりに屈曲傾斜され、取付ステー６０の右側にコの字状の溝又は切り込みを形成して、規制片７６を耕耘軸３８側（耕耘軸３８の径方向内方）に向けて切り起こし形成することにより、耕耘爪５０に嵌合する嵌合孔７７が形成されており、取付ステー６０は嵌合孔７７を介して耕耘爪５０ａの傾斜部６１に外嵌され、規制片６７は爪ブラケット５３の突出端面に接当され、取付ステー６０の耕耘軸３８側（耕耘軸３８の径方向内方）への移動を規制している。取付ステー６０の左側端部には、連結部材６４を連結するための止めピン６９が挿通する貫通孔７１が形成されている。
【００１８】
図３及び図５に示すように、各連結部材６３は、側面視略コ字状に形成された二又形状をなしており、その上下に対向する二又部分には、両部分を上下方向に貫通する貫通孔７９を有し、該貫通孔７９と取付ステー５９，６０に形成した貫通孔７０，７１を一致させて止めピン６９を挿通することにより、連結部材６３が取付ステー５９，６０に連結されている。
そして、連結部材６３の基端部分には、左右方向に挿通する挿通孔８１が形成されており、該挿通孔８１には、線状部材５８の端部側が挿通されて固定されている。線状部材５８の両端に設けた連結部材６３は、上下に対向する二又部分が取付ステー５９，６０の板厚と同じかやや幅広間隔をおいて形成されており、取付ステー５９，６０に対して止めピン６９廻りに水平揺動自在となっている。そして、図３に示すように、一方（左端側）の連結部材６３の挿通孔８１には、線状部材５８の一端部が挿通するとともに、挿通孔８１よりも径大の抜止部材８３が線状部材５８に固着されて該挿通孔８１からの線状部材５８の抜け止めがなされている。
【００１９】
また、図５に示すように、他方（右端側の）連結部材６３の挿通孔８１に対応して二又内部側に固定ナット８５が固着されている。この連結部材６３の挿通孔８１には、線状部材５８の他端部に固着したボルト８６が挿通し且つ固定ナット８５に螺合することで線状部材５８と連結部材６３とが連結され、ボルト８６の螺合により連結部材６３に対する線状部材５８の長さ方向の位置が変更自在となっている。なお、８７は、ボルト８６の回り止めをするロックナットである。
前記線状部材５８の外周には、被覆部材８９を設けている。該被覆部材８９は、耐磨耗性の高い高分子ポリエチレン等の樹脂材、又はゴム材等よりなり、パイプ状に形成されて線状部材５８に遊嵌している。また、その長さは線状部材５８の長さよりやや短く形成されており、被覆部材８９のパイプ内径は、線状部材５８の径よりも大きく形成されて線状部材５８の外周回りに回動自在となされている。
【００２０】
上記実施の形態によれば、線状部材５８を爪ブラケット５３に取り付けるには、各取付ステー５９，６０の嵌合孔６６，７７を爪ブラケット５３の嵌合凹部５３Ａと対応するように、規制片６７，７６を対応する爪ブラケット５３の突出端面に当接させ、その後、各取付ステー５９，６０の嵌合孔６６，７７に耕耘爪５０の取付基部を通過させ、該取付基部を嵌合凹部５３Ａに嵌合してボルト５４締結することによって、取付ステー５９，６０が各爪ブラケット５３に固定され、線状部材５８の取り付けがなされる。この際に、耕耘爪５０の取付基部より上方側の膨出した部分が、取付ステー５９，６０の抜け止めとなる。
【００２１】
耕耘爪５０の取付基部は角形状をなし、取付ステー５９，６０の嵌合孔６６，７７は角孔形状となっているため、取付ステー５９，６０が爪回りに回動しないようにしている。
上記のように、線状部材５８は、取付ステー５９，６０に対して揺動自在な連結部材６３を介して取付られているため、耕耘作業中における線状部材５８の揺れや、撓みを取付ステー５９，６０に対する連結部材６３の揺動によって吸収して線状部材５８の両端部分の応力集中を防止し、耐久性が向上する。また、耕耘軸３８上の両端の爪ブラケット５３は、通常各々が軸回りに位置がずれているが、連結部材６３が揺動自在となっていることから、この位置ずれにも対応可能となっている。
【００２２】
また、一方（左端側）の連結部材６３に対して線状部材５８を長さ方向に位置調整可能としているため、ワイヤーの伸び等に対応して線状部材５８を引張した状態に保つことができる。
また、被覆部材８９は、線状部材５８の外周に設けられて該線状部材５８を保護し、耕耘作業中における線状部材５８の石、岩、又は耕耘爪との接触により線状部材５８が磨耗するのを防止しており、線状部材５８の耐久性を向上させている。また、被覆部材８９は、線状部材５８に対して回動自在となっているため、草等の長稈が被覆部材８９自体に巻き付いた際には、被覆部材８９が回動することで草等の被覆部材８９からの離れを良くしている。
【００２３】
そして、取付ステー５９，６０に、爪ブラケット５３に接当して取付ステー５９，６０の耕耘軸３８側への移動を規制する規制片６７，７６が設けられているので、取付ステー５９，６０の耕耘爪５０に対する耕耘軸３８側（径方向内方）への移動を、爪ブラケット５３の高さよりも高い位置に規制することができ、規制片６７，７６の長さを調整することによって、耕耘軸３８に対する径方向への離間位置を任意に選ぶことができる。
しかも、軸方向外方側の耕耘爪５０ａに、耕耘爪５０ａの先端側を外側方（耕耘軸３８の軸方向外方）に変位させるように外側方に向けて傾斜した傾斜部６１が設けられ、取付ステー６０の嵌合孔７７側が、耕耘爪５０ａの傾斜部６１に略垂直状に交差するように傾斜され、取付ステー６０が嵌合孔７７を介して耕耘爪５０ａの傾斜部６１に外嵌されているので、取付ステー６０が取り付けられる耕耘爪５０ａが、耕耘軸３８の軸方向外方側にあって、耕耘爪５０ａの先端側を外側方に変位させるように外側方に向けて傾斜した傾斜部６１が設けられたものであっても、取付ステー６０を耕耘爪５０ａの傾斜部６１に嵌合することにより、取付ステー６０の取付位置が爪ブラケット５３の高さ位置に特定されずに済み、取付ステー６０の取付位置を任意に選ぶことができ、線条部材５８の規制位置を爪ブラケット５３の高さ位置よりも、高く設定できるようになる。
【００２４】
図１３〜図１５は他の実施形態を示し、線状部材５８が、耕耘軸３８の軸方向に分割して２本設けられ、２本の線状部材５８（５８ａ，５８ｂ）は耕耘軸３８の軸方向に連続するように配置されている。各線状部材５８ａ，５８ｂの外端部は、それぞれ取付ステー５９，６０を介して、耕耘軸３８の左端側の耕耘爪５０と、耕耘軸３８の右端側の耕耘爪５０ａとに連結されている。これら右側の線状部材５８ａの右端部の耕耘爪５０への連結、及び左側の線状部材５８ｂの左端部の耕耘爪５０ａへの連結は、前記実施の形態の場合と同様に連結部材６３，６４及び取付ステー５９，６０を介してなされている（図３〜図７参照）。
【００２５】
図１４及び図１５に示すように、２本の線状部材５８ａ，５８ｂの軸方向内方側は、共通の取付ステー９１を介して中間部の耕耘爪５０に連結され、線状部材５８ａ，５８ｂは中間部の耕耘爪５０に中継されて、耕耘軸３８の軸方向略全長に亘るように配置されている。
共通の取付ステー９１は長方形板状に形成され、取付ステー９１の左右方向中央部に耕耘爪５０の取付基部が挿通し得る長方形の嵌合孔９２が形成されている。また、取付ステー９１の底面に、規制片９３が突設されている。規制片９３は、爪ブラケット５３の突出端面に接当して取付ステー９１の耕耘軸３８側（耕耘軸３８の径方向内方）への移動を規制している。なお、規制片９３は、嵌合孔９２の開口縁部の全周に亘る筒状に形成してもよいし、また、左右一対の突起により構成してもよい。
【００２６】
取付ステー９１の左右の両側端部には、一対の連結部材６３を連結するための止めピン６９が挿通する貫通孔９６がそれぞれ形成されており、一対の貫通孔９６は、取付ステー９１の前後方向（耕耘軸８の回転方向）に関して中央より偏心して設けられると共に、一対の貫通孔９６は互いに前後方向に逆側に変位して設けられている。
連結部材６３の貫通孔７９と取付ステー９１の貫通孔９６を一致させて止めピン６９を挿通することにより、前記実施の形態の場合と同様に一対の連結部材６３は取付ステー９１に揺動自在に連結されている。
【００２７】
そして、一対の連結部材６３の挿通孔８２には、線状部材５８の他端部に固着したボルト８６が挿通し且つ固定ナット８５に螺合することで線状部材５８と連結部材６３とが連結され、ボルト８６の螺合により連結部材６３に対する線状部材５８の長さ方向の位置が変更自在となっている。その他の点は前記実施の形態の場合と同様の構成である。
なお、前記実施の形態では、取付ステー５９の左右の両側端部に設けた貫通孔９６は、取付ステー５９の前後方向（耕耘軸３８の回転方向）に関して中央より偏心して設けられると共に、貫通孔９６は互いに前後方向に逆側に変位して設けられているが、これに代え、図１６に示すように、貫通孔９６を、取付ステー５９の前後方向（耕耘軸８の回転方向）に関して中央より偏心して設けると共に、貫通孔９６を前後方向の同一側に設けるようにしてもよい。
【００２８】
図１７及び図１８は、上記図１３〜図１５の実施形態等に係る線状部材５８の配置例を示している。図１７における１〜４８は、耕耘軸３８を周方向に展開した場合の耕耘爪５０の配置位置を示している（位置１〜位置４８）。図１８における１〜４０は、耕耘軸３８を周方向に展開した場合の耕耘爪５０の配置位置を示している（位置１〜位置４０）。また、図１７及び図１８では、対をなす線状部材５８ａ，５８ｂの組が、耕耘軸３８の周方向に略１８０°離間した位置（互いに径方向に対応する位置）に２組設けられている。
【００２９】
図１７では、一方（図１７における上側）の組の線状部材５８ａ，５８ｂについては、２通りの配置を開示している。第１の配置は、線条部材５８ａが、位置２の耕耘爪５０と位置３９の耕耘爪５０との間に連結され、線状部材５８ｂが、位置３９の耕耘爪５０と位置４８の耕耘爪５０との間に連結され、これにより線条部材５８ａ，５８ｂは、位置３９の耕耘爪５０で互いに連結されて耕耘軸３８の軸方向に連続するように配置されている。第２の配置は、線条部材５８ａが、位置２の耕耘爪５０と位置２０の耕耘爪５０との間に連結され、線状部材５８ｂが、位置１８の耕耘爪５０と位置４８の耕耘爪５０との間に連結され、これにより線条部材５８ａ，５８ｂは、耕耘軸３８の軸方向の中途部で互いに分離するように配置されている。これらの配置により、線状部材５８ａ，５８ｂの中途部が耕耘爪５０に接近しないようにして、線状部材５８ａ，５８ｂが揺動等によって耕耘爪５０に接触して損傷等を生じるのを防止できるようにしている。
【００３０】
他方（図１７における下側）の組の線状部材５８ａ，５８ｂについては、３通りの配置を開示している。第１の配置は、線条部材５８ａが、位置１の耕耘爪５０と位置１０の耕耘爪５０との間に連結され、線状部材５８ｂが、位置１０の耕耘爪５０と位置４７の耕耘爪５０との間に連結され、これにより線条部材５８ａ，５８ｂは、位置１０の耕耘爪５０で互いに連結されて耕耘軸３８の軸方向に連続するように配置されている。第２の配置は、線条部材５８ａが、位置１の耕耘爪５０と位置６の耕耘爪５０との間に連結され、線状部材５８ｂが、位置６の耕耘爪５０と位置４７の耕耘爪５０との間に連結され、これにより線条部材５８ａ，５８ｂは、位置６の耕耘爪５０で互いに連結されて耕耘軸３８の軸方向に連続するように配置されている。第３の配置は、線条部材５８ａが、位置１の耕耘爪５０と位置３２の耕耘爪５０との間に連結され、線状部材５８ｂが、位置３０の耕耘爪５０と位置４７の耕耘爪５０との間に連結され、これにより線条部材５８ａ，５８ｂは、耕耘軸３８の軸方向の中途部で互いに分離するように配置されている。これらの配置により、線状部材５８ａ，５８ｂの中途部が耕耘爪５０に接近しないようにして、線状部材５８ａ，５８ｂが揺動等によって耕耘爪５０に接触して損傷等を生じるのを防止できるようにしている。
【００３１】
図１８では、一方（図１８における上側）の組の線状部材５８ａ，５８ｂについては、線条部材５８ａが、位置２の耕耘爪５０と位置２６の耕耘爪５０と間に連結されると共に、線状部材５８ｂが、位置２６の耕耘爪５０と位置３９の耕耘爪５０との間に連結され、これにより線条部材５８ａ，５８ｂは、位置２６の耕耘爪５０で互いに連結されて耕耘軸３８の軸方向に連続するように配置され、この配置により、線状部材５８ａ，５８ｂの中途部が耕耘爪５０に接近しないようにして、線状部材５８ａ，５８ｂが揺動等によって耕耘爪５０に接触して損傷等を生じるのを防止できるようにしている。
【００３２】
他方（図１８における下側）の組の線状部材５８ａ，５８ｂについては、線条部材５８ａが、位置１の耕耘爪５０と位置２０の耕耘爪５０と間に連結されると共に、線状部材５８ｂが、位置２０の耕耘爪５０と位置４０の耕耘爪５０との間に連結され、これにより線条部材５８ａ，５８ｂは、位置２０の耕耘爪５０で互いに連結されて耕耘軸３８の軸方向に連続するように配置され、この配置により、線状部材５８ａ，５８ｂの中途部が耕耘爪５０に接近しないようにして、線状部材５８ａ，５８ｂが揺動等によって耕耘爪５０に接触して損傷等を生じるのを防止できるようにしている。
【００３３】
なお、前記実施の形態では、耕耘爪５０としてなた爪を使用した場合を示したが、耕耘爪５０として普通爪、正逆両用爪等を使用してもよく、また、耕耘爪５０の取付についても上記実施形態のような角筒形状の爪ブラケット以外に、耕耘軸３８に径外方に突出した板状のフランジに耕耘爪を取り付けるようにする等適宜設計変更可能である。
また、本発明は、サイドドライブ型ロータリ耕耘機だけでなく、センタードライブ型ロータリ耕耘機にも採用することができる。
【００３４】
【発明の効果】
本発明によれば、線条部材５８の規制位置を爪ブラケット５３の高さ位置よりも、高く設定できるようになる。
【図面の簡単な説明】
【図１】本発明の一実施の形態を示すロータリ耕耘機の側面図である。
【図２】同ロータリ耕耘機の背面図である。
【図３】同ロータリ耕耘機の左端部の耕耘爪取付部分の背面断面図である。
【図４】同図３のＡ−Ａ線断面図である。
【図５】同ロータリ耕耘機の右端部の耕耘爪取付部分の背面断面図である。
【図６】同図５のＢ矢視図である。
【図７】同図５のＣ−Ｃ線断面図である。
【図８】同トップリンクサポート及び取付台部分の側面断面図である。
【図９】同トップリンクサポート及び取付台部分の平面図である。
【図１０】同図８のＤ−Ｄ線断面図である。
【図１１】同操作レバー及び連結部材の側面図である。
【図１２】同トップリンクサポートの側面図である。
【図１３】同他の実施形態を示すロータリ耕耘機の背面図である。
【図１４】同ロータリ耕耘機の中間部の耕耘爪取付部分の背面断面図である。
【図１５】同図１４のＥ−Ｅ線断面図である。
【図１６】図１５の変形例を示す中間部の取付ステー部分の平面断面図である。
【図１７】図１３〜図１５の実施形態等に係る線状部材の配置例を示す耕耘軸の展開図である。
【図１８】図１３〜図１５の実施形態等に係る線状部材の配置例を示す耕耘軸の展開図である。
【符号の説明】
１    ロータリ耕耘機
３１    耕耘軸
５０    耕耘爪
５３    爪ブラケット
５８    線条部材
５９    取付ステー
６０    取付ステー
６１    傾斜部
６６    嵌合孔
６７    規制片
７６    規制片
７７    嵌合孔
９１    取付ステー
９３    規制片
【図１】
2004215625.tif 000003
【図２】
2004215625.tif 000004
【図３】
2004215625.tif 000005
【図４】
2004215625.tif 000006
【図５】
2004215625.tif 000007
【図６】
2004215625.tif 000008
【図７】
2004215625.tif 000009
【図８】
2004215625.tif 000010
【図９】
2004215625.tif 000011
【図１０】
2004215625.tif 000012
【図１１】
2004215625.tif 000013
【図１２】
2004215625.tif 000014
【図１３】
2004215625.tif 000015
【図１４】
2004215625.tif 000016
【図１５】
2004215625.tif 000017
【図１６】
2004215625.tif 000018
【図１７】
2004215625.tif 000019
【図１８】
2004215625.tif 000020